(57)【特許請求の範囲】
【請求項１】
ＳＩＭカードの販売機と、前記販売機とネットワークを介して接続されるデータセンタを有する通信開通システムであって、
前記販売機は、購入される前記ＳＩＭカードの識別番号と、前記ＳＩＭカードを購入する購入者の個人情報とを前記データセンタに送信する販売機側通信部を有し、
前記データセンタは、前記ＳＩＭカードが挿入される通信端末の回線を開通させるのに必要な情報が、受信した前記個人情報に含まれると判定する場合に、前記識別番号と対応する前記回線を開通させるデータセンタ側制御部を有し、
前記販売機は、
国籍ごとに、パスポートのページ内における、前記個人情報が記録される領域を示すレイアウトを記憶するレイアウト記憶部と、
前記購入者の国籍の入力を受け付ける国籍入力部と、
前記パスポートの前記個人情報が記録されたページを読み取ることで、画像データを取得する画像データ取得部と、
前記国籍入力部が入力を受け付けた前記国籍と対応する前記レイアウトを前記レイアウト記憶部から取得し、取得した前記レイアウトに基づき、前記画像データ取得部が取得した前記画像データから前記個人情報を抽出する販売機側制御部と、
をさらに有する、
通信開通システム。
【請求項２】
請求項１に記載の通信開通システムにおいて、
前記データセンタ側制御部は、前記識別番号と前記個人情報とを対応付けてエビデンス記憶部に記憶する、通信開通システム。
【請求項３】
ＳＩＭカードが挿入される通信端末と、前記通信端末とネットワークを介して接続されるデータセンタを有する通信開通システムであって、
前記通信端末は、
購入者の国籍の入力を受け付ける入力部と、
パスポートの個人情報が記録されたページを読み取ることで、画像データを取得する画像データ取得部と、
前記ＳＩＭカードの識別番号と、前記パスポートの前記個人情報が記録されたページの画像データと、前記国籍とを前記データセンタに送信する通信端末側通信部を有し、
前記データセンタは、
前記国籍ごとに、前記パスポートのページ内における、前記個人情報が記録される領域を示すレイアウトを記憶するレイアウト記憶部と、
前記国籍と対応する前記レイアウトを前記レイアウト記憶部から取得し、取得した前記レイアウトに基づき、前記画像データから前記ＳＩＭカードを購入する購入者の前記個人情報を抽出するデータセンタ側制御部と、
を有し、
前記データセンタ側制御部は、前記ＳＩＭカードが挿入される前記通信端末の回線を開通させるのに必要な情報が、抽出した前記個人情報に含まれると判定する場合に、前記識別番号と対応する前記回線を開通させる、
通信開通システム。
【請求項４】
販売機の国籍入力部が、ＳＩＭカードの購入者の国籍の入力を受け付ける国籍入力受付ステップと、
販売機側制御部が、前記国籍と対応するレイアウトをレイアウト記憶部から取得するレイアウト取得ステップと、
前記販売機の画像データ取得部が、パスポートの個人情報が記録されたページを読み取ることで画像データを取得する画像データ取得ステップと、
前記販売機側制御部が、前記レイアウトに基づき、前記画像データから前記ＳＩＭカードを購入する購入者の個人情報を抽出する個人情報抽出ステップと、
前記販売機側制御部が、抽出した前記個人情報と、購入されるＳＩＭカードの識別番号とを販売機側通信部に入力する入力ステップと、
前記販売機側通信部が、入力された前記識別番号と、前記個人情報とをデータセンタに送信する送信ステップと、
前記データセンタのデータセンタ側制御部が、前記ＳＩＭカードが挿入される通信端末の回線を開通させるのに必要な情報が、受信した前記個人情報に含まれると判定する場合に、前記識別番号と対応する前記回線を開通させる通信開通ステップと、
を有する、通信開通方法。
【請求項５】
通信端末の入力部が、ＳＩＭカードの購入者の国籍の入力を受け付ける国籍入力受付ステップと、
前記通信端末の画像データ取得部が、パスポートの個人情報が記録されたページを読み取ることで画像データを取得する画像データ取得ステップと、
通信端末側制御部が、前記画像データと、購入されるＳＩＭカードの識別番号と、前記国籍とを通信端末側通信部に入力する入力ステップと、
前記通信端末側通信部が、前記識別番号と、前記画像データと、前記国籍とをデータセンタに送信する送信ステップと、
前記データセンタのデータセンタ側制御部が、前記国籍と対応するレイアウトをレイアウト記憶部から取得するレイアウト取得ステップと、
前記データセンタのデータセンタ側制御部が、前記レイアウトに基づき、前記画像データから前記ＳＩＭカードを購入する購入者の個人情報を抽出する個人情報抽出ステップと、
前記データセンタ側制御部が、前記ＳＩＭカードが挿入される前記通信端末の回線を開通させるのに必要な情報が、抽出した前記個人情報に含まれると判定する場合に、前記識別番号と対応する前記回線を開通させる通信開通ステップと、
を有する、通信開通方法。
【請求項６】
画像データ取得部と、販売機側制御部と、販売機側通信部とを有する販売機のコンピュータに実行させる通信開通プログラムであって、
前記販売機の前記販売機側制御部が、購入されるＳＩＭカードの識別番号を前記販売機側通信部に入力する識別番号入力ステップと、
前記販売機の国籍入力部が、前記ＳＩＭカードの購入者の国籍の入力を受け付ける国籍入力受付ステップと、
前記販売機側制御部が、前記国籍と対応するレイアウトをレイアウト記憶部から取得するレイアウト取得ステップと、
前記販売機の画像データ取得部が、パスポートの個人情報が記録されたページを読み取ることで画像データを取得する画像データ取得ステップと、
前記販売機側通信部が、前記ＳＩＭカードの識別番号と、前記販売機側制御部が抽出した前記個人情報とをデータセンタに送信する送信ステップと、
を前記コンピュータに実行させる、通信開通プログラム。
【発明の詳細な説明】
【技術分野】
【０００１】
本発明は、通信開通システムおよび通信開通方法ならびに通信開通プログラムに関する。
【背景技術】
【０００２】
近年、ＭＶＮＯ（Ｍｏｂｉｌｅ  Ｖｉｒｔｕａｌ  Ｎｅｔｗｏｒｋ  Ｏｐｅｒａｔｏｒ）が参入することで、通信端末を短期間、利用可能にするプリペイドＳＩＭ（Ｓｕｂｓｃｒｉｂｅｒ  Ｉｄｅｎｔｉｔｙ  Ｍｏｄｕｌｅ）カードが販売されてきている。
【０００３】
通信端末を利用可能にするには、利用者は、電気通信事業者の顧客窓口にて所定の契約をＳＩＭごとにしなければならない。
【０００４】
特開２００９−１８１２８３号公報には、「当該携帯電話装置の利用者の氏名や生年月日等の利用者情報が、販売店等の専用端末装置から利用者管理サーバへ送られ、特定された電話番号と関連付けられて利用者管理サーバ内に登録される。こうして利用者管理用情報の登録及び電話番号の付与の登録がなされた後に、利用者管理サーバによる課金処理が可能となる回線開通要求が行われて、利用者による当該携帯電話装置の利用が可能となるようになっている」と記載されている。
【先行技術文献】
【特許文献】
【０００５】
【特許文献１】特開２００９−１８１２８３号公報
【発明の概要】
【発明が解決しようとする課題】
【０００６】
従来の技術では、通信端末の回線を開通させるためには、電気通信事業者の顧客情報管理システムへ個人情報を入力しなければならず、顧客が窓口まで出向くという手間および通信事業者が人手で個人情報を入力する手間が発生していた。特に、オリンピックが開催されるなどの事由によって、旅行先に短期間に滞在する旅行者が増加した場合、より簡易に通信端末の回線を開通可能にすることが求められる。
【０００７】
本発明の目的は、通信端末の回線を自動で開通可能にする技術を提供することである。
【課題を解決するための手段】
【０００８】
本願において開示される発明のうち、代表的なものの概要を簡単に説明すれば、次の通りである。
【０００９】
本発明の一実施の形態は、ＳＩＭカードの販売機と、前記販売機とネットワークを介して接続されるデータセンタを有する通信開通システムであって、前記販売機は、購入される前記ＳＩＭカードの識別番号と、前記ＳＩＭカードを購入する購入者の個人情報とを前記データセンタに送信する販売機側通信部を有する。また、前記データセンタは、前記ＳＩＭカードが挿入される前記通信端末の回線を開通させるのに必要な情報が、受信した前記個人情報に含まれると判定する場合に、前記識別番号と対応する前記回線を開通させるデータセンタ側制御部を有する。
【００１０】
また、他の実施の形態では、ＳＩＭカードが挿入される通信端末と、前記通信端末とネットワークを介して接続されるデータセンタを有する通信開通システムであって、前記通信端末は、前記ＳＩＭカードの識別番号と、パスポートの個人情報が記録されたページの画像データとを前記データセンタに送信する通信端末側制御部を有する。また、前記データセンタは、前記画像データから前記ＳＩＭカードを購入する購入者の個人情報を抽出するデータセンタ側制御部を有する。また、前記データセンタ側制御部は、前記ＳＩＭカードが挿入される前記通信端末の回線を開通させるのに必要な情報が、抽出した前記個人情報に含まれると判定する場合に、前記識別番号と対応する前記回線を開通させる。
【００１１】
また、他の実施の形態では、販売機の販売機側制御部が、購入されるＳＩＭカードの識別番号を販売機側通信部に入力する識別番号入力ステップを有する。また、前記販売機の画像データ取得部が、パスポートの個人情報が記録されたページを読み取ることで画像データを取得する画像データ取得ステップを有する。また、前記販売機側制御部が、前記画像データから前記ＳＩＭカードを購入する購入者の個人情報を抽出する個人情報抽出ステップを有する。また、前記販売機側制御部が、抽出した前記個人情報を前記販売機側通信部に入力する個人情報入力ステップを有する。また、前記販売機側通信部が、入力された前記識別番号と、前記個人情報とをデータセンタに送信する送信ステップを有する。また、前記データセンタのデータセンタ側制御部が、前記ＳＩＭカードが挿入される通信端末の回線を開通させるのに必要な情報が、受信した前記個人情報に含まれると判定する場合に、前記識別番号と対応する前記回線を開通させる通信開通ステップを有する。
【００１２】
また、他の実施の形態では、通信端末の通信端末側制御部が、購入されるＳＩＭカードの識別番号を通信端末側通信部に入力する識別番号入力ステップを有する。また、前記通信端末の画像データ取得部が、パスポートの個人情報が記録されたページを読み取ることで画像データを取得する画像データ取得ステップを有する。また、前記通信端末側制御部が、前記画像データを前記通信端末側通信部に入力する画像データ入力ステップを有する。また、前記通信端末側通信部が、前記識別番号と、前記画像データとをデータセンタに送信する送信ステップを有する。また、前記データセンタのデータセンタ側制御部が、前記画像データから前記ＳＩＭカードを購入する購入者の個人情報を抽出する個人情報抽出ステップを有する。また、前記データセンタ側制御部が、前記ＳＩＭカードが挿入される前記通信端末の回線を開通させるのに必要な情報が、抽出した前記個人情報に含まれると判定する場合に、前記識別番号と対応する前記回線を開通させる通信開通ステップを有する。
【００１３】
また、他の実施の形態では、画像データ取得部と、販売機側制御部と、販売機側通信部とを有する販売機のコンピュータに実行させる通信開通プログラムであって、前記画像データ取得部が、パスポートの個人情報が記録されたページを読み取ることで、画像データを取得する画像データ取得ステップを前記コンピュータに実行させる。また、前記販売機側制御部が、前記画像データ取得部が取得した前記画像データから、ＳＩＭカードが挿入される通信端末の回線を開通させるのに必要な個人情報を抽出する個人情報抽出ステップを前記コンピュータに実行させる。また、前記販売機側通信部が、前記ＳＩＭカードの識別番号と、前記販売機側制御部が抽出した前記個人情報とをデータセンタに送信する送信ステップを前記コンピュータに実行させる。
【００１４】
また、他の実施の形態では、通信端末側制御部と通信端末側通信部とを有する通信端末のコンピュータに実行させる通信開通プログラムであって、前記通信端末側制御部が、パスポートの個人情報が記録されたページから、ＳＩＭカードが挿入される前記通信端末の回線を開通させるのに必要な個人情報を取得する個人情報取得ステップを前記コンピュータに実行させる。また、前記通信端末側通信部が、前記ＳＩＭカードの識別番号と、前記通信端末側制御部が取得した前記個人情報とをデータセンタに送信する送信ステップを前記コンピュータに実行させる。
【発明の効果】
【００１５】
本願において開示される発明のうち、代表的なものによって得られる効果を簡単に説明すれば以下のとおりである。
【００１６】
本発明の代表的な実施の形態によれば、通信端末の回線を自動で開通できるようになる。
【図面の簡単な説明】
【００１７】
【図１】本発明の実施の形態１における通信開通システムの構成例の概要を示す図である。
【図２】本発明の実施の形態１における販売機の構成例の概要を示す図である。
【図３】本発明の実施の形態１におけるエビデンス記憶部が記憶するデータの構成例の概要を示す図である。
【図４】本発明の実施の形態１における全体処理の処理フローを示す図である。
【図５】本発明の実施の形態２における通信開通システムの構成例の概要を示す図である。
【図６】本発明の実施の形態２における全体処理の処理フローを示す図である。
【発明を実施するための形態】
【００１８】
以下、本発明の実施の形態を図面に基づいて詳細に説明する。なお、実施の形態を説明するための全図において、同一部には原則として同一の符号を付し、その繰り返しの説明は省略する。
【００１９】
[実施の形態１]
以下、実施の形態１を、図１〜図４を用いて説明する。
【００２０】
本発明の実施の形態１における通信開通システムは、ＳＩＭカードを販売する販売機と、ＳＩＭカードが挿入される通信端末の回線を開通させるデータセンタとからなる。また、販売機は、パスポートの個人情報（例えば、ＳＩＭカードを購入する購入者の氏名、生年月日、旅券番号など）が記録されたページを読み取ることで、ＳＩＭカードを購入する購入者（以下、購入者と呼ぶ場合がある）の個人情報を取得する。また、販売機は、購入されるＳＩＭカードの識別番号と、読み取った個人情報とをデータセンタに送信する。そして、データセンタは、回線を開通させるのに必要な情報が受信した個人情報に含まれる場合に、受信した識別番号と対応する回線を開通させる。これにより、通信端末の回線を自動で開通できるようになる。
【００２１】
＜システム構成＞
図１は、本発明の実施の形態１における通信開通システムの構成例の概要を示す図である。図１に示されるように通信開通システムは、販売機１００と、この販売機１００とネットワークを介して接続されるデータセンタ２００とを有する。
【００２２】
また、販売機１００、データセンタ２００は、プロセッサやメモリなどを有し、プロセッサにより実行されるメモリ上のプログラムが、販売機１００、データセンタ２００のコンピュータを機能させる。
【００２３】
販売機１００は、図１および図２に示されるように、選択ボタン１１０と、国籍入力部１２０と、販売機側制御部１３０と、画像データ取得部１４０と、表示部１５０と、販売機側通信部１６０と、通信事業者情報記憶部１７０と、レイアウト記憶部１８０と、取り出し口１９０とを有する。
【００２４】
選択ボタン１１０は、販売されるＳＩＭカードに対応して設けられる。また、ＳＩＭカードごとに、回線開通後にＳＩＭカードに対して設定される設定情報（例えば、通信可能日数（例えば、３０日）や、通信可能なデータ量（例えば、１ＧＢ）が存在し、購入者は、販売機に表示される設定情報を参照して購入するＳＩＭカードを選択する。そして、いずれかの選択ボタン１１０が、ＳＩＭカードを購入する購入者から選択される入力を受け付けることで、購入されるＳＩＭカードが選択される。選択されたＳＩＭカードの識別番号は、販売機側制御部１３０に入力される。
【００２５】
販売機側制御部１３０は、パスポートを画像データ取得部１４０にかざすことを促すメッセージを表示部１５０に表示させる。購入者が、画像データ取得部１４０に対してパスポートの個人情報が記録されたページをかざすことで、画像データ取得部１４０により画像データが取得される。
【００２６】
画像データ取得部１４０は、例えば、文字や写真などを読み取り、画像データとして取得するイメージスキャナや、撮像した文字や写真などを画像データとして取得するカメラなどが該当する。画像データ取得部１４０は、パスポートの個人情報が記録されたページを読み取ることで、画像データを取得する。そして、画像データ取得部１４０は、取得した画像データを販売機側制御部１３０に入力する。
【００２７】
レイアウト記憶部１８０は、国籍ごとに、パスポートの個人情報が記録されたページ内における、個人情報が記録される領域を示すレイアウトを記憶する。
【００２８】
国籍入力部１２０は、購入者から国籍の入力を受け付ける。国籍入力部１２０は、入力された国籍を販売機側制御部１３０に入力する。
【００２９】
販売機側制御部１３０は、国籍入力部１２０から入力された国籍と対応するレイアウトをレイアウト記憶部１８０から取得する。
【００３０】
販売機側制御部１３０は、取得したレイアウトに基づき画像処理することで、画像データ取得部１４０から入力された画像データから個人情報（この個人情報は、文字データである）を抽出する。
【００３１】
通信事業者情報記憶部１７０は、ＳＩＭカードの識別番号と、識別情報および個人情報が送信される送信先を示す送信先情報とを対応付けて記憶する。
【００３２】
販売機側制御部１３０は、購入されるＳＩＭカードの識別番号と対応する送信先情報を通信事業者情報記憶部１７０から取得する。そして、販売機側制御部１３０は、購入されるＳＩＭカードの識別番号と、国籍入力部１２０から入力された国籍と、抽出した個人情報と、取得した送信先情報とを販売機側通信部１６０に入力する。
【００３３】
販売機側通信部１６０は、入力された送信先情報から特定されるデータセンタ２００へ、識別番号と国籍と個人情報とを送信する。
【００３４】
データセンタ２００は、データセンタ側通信部２１０と、データセンタ側制御部２２０と、設定情報記憶部２３０と、管理情報記憶部２４０と、エビデンス記憶部２５０とを有する。
【００３５】
設定情報記憶部２３０は、ＳＩＭカードの識別番号と回線を開通させた後の設定情報とを対応付けて記憶する。
【００３６】
管理情報記憶部２４０は、ＳＩＭカードの識別番号と設定情報とを対応付けて記憶する。管理情報記憶部２４０は、初期値として回線開通前の設定情報を記憶する。この回線開通前の設定情報は、例えば、通信端末の通信可能日数が「０日」、通信可能なデータ量が「０ＧＢ」となっている。そして、開通前の設定情報が更新されるまでは、ＳＩＭカードが挿入されても通信端末は通信ができない。データセンタ側制御部２２０が、管理情報記憶部２４０に記憶される設定情報を、設定情報記憶部２３０から取得した設定情報（この設定情報は、購入されるＳＩＭカードごとに異なる）へと更新することで、ＳＩＭカードが挿入される通信端末の回線が開通される。
【００３７】
データセンタ側通信部２１０は、販売機側通信部１６０が送信した識別番号と国籍と個人情報とを受信する。そして、データセンタ側通信部２１０は、受信した識別番号と国籍と個人情報とをデータセンタ側制御部２２０に入力する。
【００３８】
データセンタ側制御部２２０は、ＳＩＭカードが挿入される通信端末の回線を開通させるのに必要な個人情報が、入力された個人情報にすべて含まれている場合に、入力された識別番号と対応する設定情報を設定情報記憶部２３０から取得する。そして、データセンタ側制御部２２０は、取得した設定情報へ管理情報記憶部２４０に記憶される設定情報を更新する。また、データセンタ側制御部２２０は、回線を開通させた日付と入力された識別番号と個人情報とを対応付けてエビデンス記憶部２５０（後述、図３）に記憶する。
【００３９】
その後、購入されたＳＩＭカードは、販売機１００の取り出し口１９０まで移動される。
【００４０】
＜エビデンス記憶部＞
図３は、本発明の実施の形態１におけるエビデンス記憶部２５０が記憶するデータの構成例の概要を示す図である。図３に示されるように、エビデンス記憶部２５０は、[識別番号]と個人情報である[氏名]、[生年月日]、[旅券番号]と[日付]とを対応付けて記憶する。[識別番号]は、ＳＩＭカードに割り振られる識別番号を示す。[氏名]は、購入者の氏名を示す。[生年月日]は、購入者の生年月日を示す。[旅券番号]は、購入者が所有するパスポートに記録されている旅券番号を示す。[日付]は、回線を開通させた日付を示す。
【００４１】
＜全体処理＞
図４は、本発明の実施の形態１における全体処理の処理フローを示す図である。
【００４２】
まず、Ｓ４０１にて、販売機１００の選択ボタン１１０が、選択する入力を購入者から受け付けることで購入されるＳＩＭカードが選択される。そして、選択されたＳＩＭカードの識別番号が、販売機側制御部１３０に入力される。
【００４３】
次に、Ｓ４０２にて、国籍入力部１２０が、購入者から購入者の国籍の入力を受け付ける。そして、購入者の国籍が、販売機側制御部１３０に入力される。
【００４４】
次に、Ｓ４０３にて、販売機側制御部１３０は、Ｓ４０２にて入力された国籍をキーにレイアウト記憶部１８０を検索し、対応するレイアウトを取得する。
【００４５】
次に、Ｓ４０４にて、販売機側制御部１３０は、パスポートを画像データ取得部１４０にかざすことを促すメッセージを表示部１５０に表示させる。表示部１５０には、例えば、「パスポートの個人情報が記録されたページをかざして下さい」などのメッセージが表示される。
【００４６】
次に、Ｓ４０５にて、画像データ取得部１４０は、パスポートの個人情報が記録されたページを読み取ることで、画像データを取得する。そして、画像データ取得部１４０は、取得した画像データを販売機側制御部１３０に入力する。
【００４７】
次に、Ｓ４０６にて、販売機側制御部１３０は、Ｓ４０３にて取得したレイアウトに基づき画像処理することで、Ｓ４０５にて入力された画像データから個人情報（例えば、氏名、旅券番号、生年月日など）を抽出する。なお、取得することが必要な個人情報であって、画像データから抽出されなかった個人情報については、図示しない入力装置（例えば、キーボード）から入力を受け付けるようにしても良い。
【００４８】
次に、Ｓ４０７にて、販売機側制御部１３０は、Ｓ４０１にて選択されたＳＩＭカードの識別番号をキーに通信事業者情報記憶部１７０を検索し、対応する送信先情報を取得する。
【００４９】
次に、Ｓ４０８にて、販売機側制御部１３０は、Ｓ４０１にて選択されたＳＩＭカードの識別番号と、Ｓ４０２にて入力を受け付けた国籍と、Ｓ４０６にて抽出した個人情報と、Ｓ４０７にて取得した送信先情報とを販売機側通信部１６０に入力する。
【００５０】
次に、Ｓ４０９にて、販売機側通信部１６０は、Ｓ４０８にて入力された送信先情報から特定されるデータセンタ２００へ、Ｓ４０８にて入力された識別番号と国籍と個人情報とを送信する。
【００５１】
次に、Ｓ４１０にて、データセンタ２００のデータセンタ側通信部２１０は、Ｓ４０９にて送信された識別番号と国籍と個人情報とを受信する。そして、データセンタ側通信部２１０は、受信した識別番号と国籍と個人情報とをデータセンタ側制御部２２０に入力する。
【００５２】
次に、Ｓ４１１にて、データセンタ側制御部２２０は、ＳＩＭカードが挿入される通信端末の回線を開通させるのに必要な個人情報が、Ｓ４１０にて入力された個人情報にすべて含まれるかを判定する。例えば、データセンタ側制御部２２０は、氏名と旅券番号と生年月日とが入力された個人情報にすべて含まれる場合、回線を開通させるのに必要な個人情報が入力された個人情報にすべて含まれると判定する。Ｓ４１１にて、データセンタ側制御部２２０が、通信端末の回線を開通させるのに必要な、いずれかの個人情報がＳ４１０にて入力された個人情報に含まれないと判定する場合（Ｓ４１１−Ｎｏ）、Ｓ４１８へ進む。一方、Ｓ４１１にて、データセンタ側制御部２２０が、通信端末の回線を開通させるのに必要な個人情報がＳ４１０にて入力された個人情報にすべて含まれると判定する場合（Ｓ４１１−Ｙｅｓ）、Ｓ４１２へ進む。
【００５３】
次に、Ｓ４１２にて、データセンタ側制御部２２０は、Ｓ４１０にて入力された識別番号をキーに設定情報記憶部２３０を検索し、対応する設定情報を取得する。
【００５４】
次に、Ｓ４１３にて、データセンタ側制御部２２０は、Ｓ４１０にて入力された識別番号をキーに管理情報記憶部２４０を検索する。そして、識別番号から特定される管理情報記憶部２４０に記憶される設定情報を、Ｓ４１２にて取得した設定情報へ更新する。より詳細には、データセンタ側制御部２２０は、使用不可であると設定されていている設定情報（例えば、通信可能なデータ量：０ＧＢ、通信可能日数：０日）をＳ４１２にて取得した設定情報（例えば、通信可能なデータ量：１ＧＢ、通信可能日数：３０日）へ更新する。データセンタ側制御部２２０が、管理情報記憶部２４０に記憶される設定情報を更新することで、ＳＩＭカードが挿入される通信端末の回線が開通される。
【００５５】
次に、Ｓ４１４にて、データセンタ側制御部２２０は、Ｓ４１０にて入力された識別番号と、Ｓ４１０にて入力された個人情報とを対応付けてエビデンス記憶部２５０に記憶する。なお、データセンタ側制御部２２０は、個人情報に替えて個人情報から特定される情報（例えば、通信端末の電話番号、クレジットカードの番号など）を識別番号と対応付けてエビデンス記憶部２５０に記憶するようにしても良い。
【００５６】
次に、Ｓ４１５にて、データセンタ側通信部２１０は、回線が正常に開通されたことを示す開通情報を販売機１００へ送信する。
【００５７】
次に、Ｓ４１６にて、販売機１００の販売機側通信部１６０は、送信された開通情報を受信する。そして、販売機側通信部１６０は、受信した開通情報を販売機側制御部１３０に入力する。
【００５８】
次に、Ｓ４１７にて、販売機側制御部１３０は、ＳＩＭカードを販売機１００の取り出し口１９０まで移動させる。
【００５９】
Ｓ４１１にてＮｏだった場合には、Ｓ４１８にて、データセンタ側制御部２２０は、ＳＩＭカードが挿入される通信端末の回線を開通させるのに必要な個人情報が入力されていないことを示すエラー情報を販売機１００へ送信する。
【００６０】
次に、Ｓ４１９にて、販売機１００の販売機側通信部１６０は、Ｓ４１８にて送信されたエラー情報を受信する。そして、販売機側通信部１６０は、受信したエラー情報を販売機側制御部１３０に入力する。その後、販売機側制御部１３０は、表示部１５０に入力されたエラー情報と対応するメッセージを表示させる。表示部１５０には、例えば、「通信端末の回線を開通させるのに必要な個人情報を読み取れませんでした」などのメッセージが表示される。
【００６１】
なお、画像データ取得部１４０が、パスポートの個人情報が記録されたページを読み取ることで、画像データを取得することに替えて、ＩＣチップが埋め込まれることで個人情報が記録されたパスポートのページを、非接触通信技術（例えば、ＲＦＩＤ（Ｒａｄｉｏ  Ｆｒｅｑｕｅｎｃｙ  Ｉｄｅｎｔｉｆｉｃａｔｉｏｎ））により読み取ることで個人情報を取得するようにしても良い。この場合、取得された個人情報は、販売機側制御部１３０に入力される。
【００６２】
また、ＯＣＲ（Ｏｐｔｉｃａｌ  Ｃｈａｒａｃｔｅｒ  Ｒｅａｄｅｒ）が、パスポートの個人情報が記録されたページを読み取ることで、個人情報を取得するようにしても良い。
【００６３】
また、Ｓ４０９にて、販売機側通信部１６０が、個人情報に替えて画像データを送信するようにしても良い（この場合は、Ｓ４０６にて個人情報を抽出しない）。この場合、データセンタ２００にて、受信した画像データから個人情報を抽出し、Ｓ４１１にて、データセンタ側制御部２２０が、ＳＩＭカードが挿入される通信端末の回線を開通させるのに必要な個人情報が、データセンタ２００が抽出した個人情報にすべて含まれるかを判定する。
【００６４】
＜実施の形態１の効果＞
以上説明した実施の形態１によれば、抽出された個人情報にＳＩＭカードが挿入される通信端末の回線を開通させるのに必要な情報が含まれる場合に、回線を開通させることで、通信端末の回線を自動で開通できるようになる。特に、旅行者が所有する通信端末の回線を速やかに開通させることができるようになり、例えば、オリンピックなどで旅行者が増加する状況では特に有効である。
【００６５】
また、国籍と対応するレイアウトを取得し、取得したレイアウトに基づき画像処理することで、画像データから個人情報を抽出する。これにより、読み取られた画像データに記録される個人情報のレイアウトが異なる場合であっても、必要な個人情報を抽出できるようになる。
【００６６】
また、回線を開通させた日付と識別番号と個人情報とを対応付けてエビデンス記憶部２５０に記憶することで、回線を開通させた記録を残すとともに、購入者の情報を管理できるようになる。
【００６７】
[実施の形態２]
本実施の形態２が実施の形態１と異なる点は、実施の形態１が、ＳＩＭカードが販売機１００内に存在する状態で回線の開通がされるのに対し、本実施の形態２では、ＳＩＭカードが通信端末に挿入された状態で回線の開通がされる点である。以下、実施の形態２を実施の形態１と異なる点を主に図５および図６を用いて説明する。
【００６８】
＜システム構成＞
図５は、本発明の実施の形態２における通信開通システムの構成例の概要を示す図である。図５に示されるように通信開通システムは、通信端末３００と、この通信端末３００とネットワークを介して接続されるデータセンタ２００とを有する。
【００６９】
また、また、通信端末３００は、プロセッサやメモリなどを有し、プロセッサにより実行されるメモリ上のプログラムが、通信端末３００のコンピュータを機能させる。
【００７０】
通信端末３００は、通信機能を有する端末が該当する。通信端末３００は、例えば、スマートフォンを含む携帯電話、ＰＣ（Ｐｅｒｓｏｎａｌ  Ｃｏｍｐｕｔｅｒ）、タブレット端末が該当するが、通信機能を有する様々な形態の端末を全て含むものである。また、通信端末３００には、ＳＩＭカードが挿入されている。さらに通信端末３００には、ＡＰＮ（Ａｃｃｅｓｓ  Ｐｏｉｎｔ  Ｎａｍｅ）を自動で設定可能にするＡＰＮ設定アプリケーション３６０がインストールされている。
【００７１】
通信端末３００は、画像データ取得部３１０と、通信端末側通信部３２０と、入力部３３０と、通信端末側制御部３４０と、表示部３５０とを有する。
【００７２】
入力部（例えば、タッチパネル）３３０は、購入者の国籍の入力を受け付ける。入力部３３０が入力を受け付けた国籍は、通信端末側制御部３４０を介して通信端末側通信部３２０に入力される。
【００７３】
画像データ取得部３１０は、パスポートの個人情報が記録されたページを読み取ることで画像データを取得する。画像データ取得部３１０が取得した画像データは、通信端末側制御部３４０を介して通信端末側通信部３２０に入力される。
【００７４】
通信端末側通信部３２０は、入力されたＳＩＭカードの識別番号と国籍と画像データとを、データセンタ２００へ送信する。
【００７５】
データセンタ２００は、レイアウト記憶部２６０を有する。
【００７６】
データセンタ２００のデータセンタ側制御部２２０は、レイアウト記憶部２６０から取得したレイアウトに基づいて画像データから個人情報を抽出する。そして、データセンタ側制御部２２０は、ＳＩＭカードが挿入される通信端末３００の回線を開通させるのに必要な個人情報が、入力された個人情報にすべて含まれている場合に、回線を開通させる。
【００７７】
その後、通信端末３００の表示部（例えば、ディスプレイ）３５０は、回線が正常に開通されたことを示すメッセージを表示する。
【００７８】
＜全体処理＞
図６は、本発明の実施の形態２における全体処理の処理フローを示す図である。
【００７９】
まず、Ｓ６０１にて、通信端末３００にＳＩＭカードが挿入される。
【００８０】
次に、Ｓ６０２にて、通信端末３００の入力部３３０は、購入者の国籍の入力を受け付ける。入力部３３０が入力を受け付けた国籍は、通信端末側制御部３４０を介して通信端末側通信部３２０に入力される。
【００８１】
次に、Ｓ６０３にて、ＡＰＮ設定アプリケーション３６０が実行されることでＡＰＮが設定される。ＡＰＮの設定には、まず、入力部３３０が、通信端末３００が最初に接続する接続先であるＳＩＭ販売業者のサーバのＩＰアドレスの入力を受け付ける。次に、通信端末３００は、ＳＩＭ販売業者のサーバへＳＩＭの識別番号を送信する。次に、ＳＩＭ販売業者のサーバは、受信したＳＩＭの識別番号に対応するＡＰＮを通信端末３００へ送信する。そして、通信端末３００は、受信したＡＰＮを設定する。
【００８２】
次に、Ｓ６０４にて、通信端末３００の画像データ取得部３１０は、パスポートの個人情報が記録されたページを読み取ることで画像データを取得する。画像データ取得部３１０は、取得した画像データは、通信端末側制御部３４０を介して通信端末側通信部３２０に入力される。
【００８３】
次に、Ｓ６０５にて、通信端末側通信部３２０は、Ｓ６０１にて挿入されたＳＩＭカードの識別番号と、Ｓ６０２にて入力された国籍と、Ｓ６０４にて入力された画像データとを、データセンタ２００（このデータセンタ２００は、Ｓ６０３にて設定したＡＰＮから特定される）へ送信する。
【００８４】
次に、Ｓ６０６にて、データセンタ２００のデータセンタ側通信部２１０は、Ｓ６０５にて送信された識別番号と国籍と画像データとを受信する。そして、データセンタ側通信部２１０は、受信した識別番号と国籍と画像データとデータセンタ側制御部２２０に入力する。
【００８５】
次に、Ｓ６０７にて、データセンタ２００のデータセンタ側制御部２２０は、Ｓ６０６にて入力された国籍と対応するレイアウトをレイアウト記憶部２６０から取得し、取得したレイアウトに基づき画像処理することで、入力された画像データから個人情報を抽出する。
【００８６】
次に、Ｓ６０８にて、データセンタ側制御部２２０は、ＳＩＭカードが挿入される通信端末３００の回線を開通させるのに必要な個人情報が、Ｓ６０７にて抽出された個人情報にすべて含まれるかを判定する。Ｓ６０８にて、データセンタ側制御部２２０が、通信端末３００の回線を開通させるのに必要な、いずれかの個人情報がＳ６０７にて抽出された個人情報に含まれないと判定する場合（Ｓ６０８−Ｎｏ）、Ｓ６１４へ進む。一方、Ｓ６０８にて、データセンタ側制御部２２０が、通信端末３００の回線を開通させるのに必要な個人情報がＳ６０７にて抽出された個人情報にすべて含まれると判定する場合（Ｓ６０８−Ｙｅｓ）、Ｓ６０９に進む。
【００８７】
次に、Ｓ６０９にて、データセンタ側制御部２２０は、Ｓ６０６にて入力された識別番号をキーに設定情報記憶部２３０を検索し、対応する設定情報を取得する。
【００８８】
次に、Ｓ６１０にて、データセンタ側制御部２２０は、Ｓ６０６にて入力された識別番号をキーに管理情報記憶部２４０を検索する。そして、データセンタ側制御部２２０は、入力された識別番号から特定される管理情報記憶部２４０に記憶される設定情報を、Ｓ６０９にて取得した設定情報へ更新する。より詳細には、データセンタ側制御部２２０は、例えば、画像データをデータセンタ２００に１〜３回だけ送信可能に設定された設定情報（例えば、通信可能なデータ量：１０ＭＢ、通信可能日数：１日）をＳ６０９にて取得した設定情報（例えば、通信可能なデータ量：１ＧＢ、通信可能日数：３０日）へ更新する。
【００８９】
次に、Ｓ６１１にて、データセンタ側制御部２２０は、回線を開通させた日付とＳ６０６にて入力された識別情報とＳ６０７にて抽出した個人情報とを対応付けてエビデンス記憶部２５０に記憶する。
【００９０】
次に、Ｓ６１２にて、データセンタ側通信部２１０は、回線が正常に開通されたことを示す開通情報を通信端末３００へ送信する。
【００９１】
次に、Ｓ６１３にて、通信端末３００の通信端末側通信部３２０は、送信された開通情報を受信する。通信端末側通信部３２０が受信した開通情報は、通信端末側制御部３４０を介して表示部３５０に入力される。そして、表示部３５０は、回線が正常に開通されたことを示すメッセージを表示する。
【００９２】
Ｓ６０８にてＮｏだった場合には、Ｓ６１４にて、データセンタ側制御部２２０は、ＳＩＭカードが挿入される通信端末３００の回線を開通させるのに必要な個人情報が抽出されなかったことを示すエラー情報を通信端末３００へ送信する。
【００９３】
次に、Ｓ６１５にて、通信端末３００の通信端末側通信部３２０は、送信されたエラー情報を受信する。通信端末側通信部３２０が受信したエラー情報は、通信端末側制御部３４０を介して表示部３５０に入力される。そして、表示部３５０は、ＳＩＭカードが挿入される通信端末３００の回線を開通させるのに必要な個人情報が抽出されなかったことを示すメッセージを表示する。
【００９４】
なお、画像データ取得部３１０が、パスポートの個人情報が記録されたページを読み取ることで、画像データを取得することに替えて、パスポートのＩＣチップが埋め込まれたページを、非接触通信技術（例えば、ＲＦＩＤ（Ｒａｄｉｏ  Ｆｒｅｑｕｅｎｃｙ  Ｉｄｅｎｔｉｆｉｃａｔｉｏｎ））により読み取ることで個人情報を取得するようにしても良い。この場合、取得された個人情報は、通信端末側制御部３４０を介して通信端末側通信部３２０に入力される。そして、Ｓ６０５にて、通信端末側通信部３２０は、画像データに替えて個人情報をデータセンタ２００へ送信する。そして、Ｓ６０７にて、データセンタ側制御部２２０は、個人情報を抽出する処理を行わない。その後、Ｓ６０８にて、データセンタ側制御部２２０が、ＳＩＭカードが挿入される通信端末３００の回線を開通させるのに必要な個人情報が、通信端末側通信部３２０から送信された個人情報にすべて含まれていると判定する場合に、Ｓ６０９およびＳ６１０の処理を実行し、対応する回線を開通させる。
【００９５】
また、ＯＣＲ（Ｏｐｔｉｃａｌ  Ｃｈａｒａｃｔｅｒ  Ｒｅａｄｅｒ）が、パスポートの個人情報が記録されたページを読み取ることで、個人情報を取得するようにしても良い。
【００９６】
また、データセンタ２００は、通信端末３００に対してＷｅｂＳｏｃｋｅｔを用いてメッセージ（回線が正常に開通されたことを示すメッセージおよび通信端末３００の回線を開通させるのに必要な個人情報が抽出されなかったことを示すメッセージ）を送信するようにしても良い。また、データセンタ２００は、通信端末３００に対してＳＭＳ（Ｓｈｏｒｔ  Ｍｅｓｓａｇｅ  Ｓｅｒｖｉｃｅ）を用いてメッセージ（回線が正常に開通されたことを示すメッセージおよび通信端末３００の回線を開通させるのに必要な個人情報が抽出されなかったことを示すメッセージ）を送信するようにしても良い。
【００９７】
＜実施の形態２の効果＞
以上のように、本実施の形態２によれば、実施の形態１と異なる効果として販売機１００に画像データ取得部１４０を設けることなく、通信端末３００の回線を自動で開通できるようになる。
【００９８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００９９】
１００…販売機、１１０…選択ボタン、１２０…国籍入力部、１３０…販売機側制御部、１４０…画像データ取得部、１５０…表示部、１６０…販売機側通信部、１７０…通信事業者情報記憶部、１８０…レイアウト記憶部、１９０…取り出し口、２００…データセンタ、２１０…データセンタ側通信部、２２０…データセンタ側制御部、２３０…設定情報記憶部、２４０…管理情報記憶部、２５０…エビデンス記憶部、２６０…レイアウト記憶部、３００…通信端末、３１０…画像データ取得部、３２０…通信端末側通信部、３３０…入力部、３４０…通信端末側制御部、３５０…表示部、３６０…ＡＰＮ設定アプリケーション
【要約】
【課題】通信端末の回線を自動で開通可能にする技術を提供する。
【解決手段】ＳＩＭカードの販売機１００と、販売機１００とネットワークを介して接続されるデータセンタ２００を有する通信開通システムであって、販売機１００は、購入されるＳＩＭカードの識別番号と、ＳＩＭカードを購入する購入者の個人情報とをデータセンタ２００に送信する販売機側通信部１６０を有し、データセンタ２００は、ＳＩＭカードが挿入される通信端末の回線を開通させるのに必要な情報が、受信した個人情報に含まれると判定する場合に、識別番号と対応する回線を開通させるデータセンタ側制御部２２０を有する。
【選択図】図１【図１】
0005559440.tif 000002
【図２】
0005559440.tif 000003
【図３】
0005559440.tif 000004
【図４】
0005559440.tif 000005
【図５】
0005559440.tif 000006
【図６】
0005559440.tif 000007